(57)【要約】【課題】ブレを抑えて適切に画像合成する電子カメラを提供する。【解決手段】電子カメラ１は、被写体像を撮像して画像データを出力する撮像手段１４，１５と、被写体像のブレを所定範囲内にする第１シャッター秒時で撮像手段１４，１５に複数回の撮像をさせる撮像制御手段１６と、撮像手段１４，１５から出力される複数の画像データを用いて、各画像から主要被写体を検出する検出手段１６と、検出手段１６によって検出された主要被写体の位置を基準に複数の画像データを重ね合わせて１つの画像を生成する画像合成手段１７とを備える。【選択図】図１
2010171769.tif 000002
【特許請求の範囲】
【請求項１】
被写体像を撮像して画像データを出力する撮像手段と、
前記被写体像のブレを所定範囲内にする第１シャッター秒時で前記撮像手段に複数回の撮像をさせる撮像制御手段と、
前記撮像手段から出力される複数の画像データを用いて、各画像から主要被写体を検出する検出手段と、
前記検出手段によって検出された前記主要被写体の位置を基準に前記複数の画像データを重ね合わせて１つの画像を生成する画像合成手段とを備えることを特徴とする電子カメラ。
【請求項２】
請求項１に記載の電子カメラにおいて、
前記撮像制御手段は、電子カメラの揺れに起因する第１のブレを第１所定範囲内にする第２シャッター秒時、および被写体の動きに起因する第２のブレを第２所定範囲内にする第３シャッター秒時のうち短い方を前記第１シャッター秒時とすることを特徴とする電子カメラ。
【請求項３】
請求項１に記載の電子カメラにおいて、
前記検出手段は、前記各画像から顔を検出することを特徴とする電子カメラ。
【請求項４】
請求項２に記載の電子カメラにおいて、
前記撮像制御手段は、撮影指示に応じて前記重ね合わせ用として前記撮像手段に複数回の撮像をさせる一方、前記撮影指示前に前記重ね合わせ用と異なる複数回の撮像を前記撮像手段にさせた上で、前記撮影指示前の画像データから前記第２のブレを算出することを特徴とする電子カメラ。
【請求項５】
請求項４に記載の電子カメラにおいて、
前記撮影指示前の複数回の撮像は焦点調節時のコントラスト検出用であり、
前記撮像制御手段は、前記コントラスト検出用の画像データから前記第２のブレを算出することを特徴とする電子カメラ。
【請求項６】
請求項２に記載の電子カメラにおいて、
前記撮像制御手段は、撮影光学系の焦点距離情報から前記第１のブレを算出することを特徴とする電子カメラ。
【請求項７】
請求項２に記載の電子カメラにおいて、
前記撮像制御手段は、露出演算に基づいて算出される第４シャッター秒時と前記第１シャッター秒時との比に基づいて、前記第１シャッター秒時で前記撮像手段に撮像をさせる回数を決定することを特徴とする電子カメラ。
【発明の詳細な説明】
【技術分野】
【０００１】
本発明は、電子カメラに関する。
【背景技術】
【０００２】
複数の画像を合成するカメラが知られている（特許文献１参照）。
【先行技術文献】
【特許文献】
【０００３】
【特許文献１】特開２００４−２０８０００号公報
【発明の概要】
【発明が解決しようとする課題】
【０００４】
従来技術では、たとえば低速撮影の場合に、カメラの揺れや被写体の動きに起因するブレが生じていた。
【課題を解決するための手段】
【０００５】
（１）本発明による電子カメラは、被写体像を撮像して画像データを出力する撮像手段と、被写体像のブレを所定範囲内にする第１シャッター秒時で撮像手段に複数回の撮像をさせる撮像制御手段と、撮像手段から出力される複数の画像データを用いて、各画像から主要被写体を検出する検出手段と、検出手段によって検出された主要被写体の位置を基準に複数の画像データを重ね合わせて１つの画像を生成する画像合成手段とを備えることを特徴とする。
（２）請求項１に記載の電子カメラにおいて、撮像制御手段は、電子カメラの揺れに起因する第１のブレを第１所定範囲内にする第２シャッター秒時、および被写体の動きに起因する第２のブレを第２所定範囲内にする第３シャッター秒時のうち短い方を第１シャッター秒時とすることもできる。
（３）請求項１に記載の電子カメラにおいて、検出手段は、各画像から顔を検出することもできる。
（４）請求項２に記載の電子カメラにおいて、撮像制御手段は、撮影指示に応じて重ね合わせ用として撮像手段に複数回の撮像をさせる一方、撮影指示前に重ね合わせ用と異なる複数回の撮像を撮像手段にさせた上で、撮影指示前の画像データから第２のブレを算出することもできる。
（５）請求項４に記載の電子カメラにおいて、撮影指示前の複数回の撮像は焦点調節時のコントラスト検出用であり、撮像制御手段は、コントラスト検出用の画像データから第２のブレを算出することもできる。
（６）請求項２に記載の電子カメラにおいて、撮像制御手段は、撮影光学系の焦点距離情報から第１のブレを算出することもできる。
（７）請求項２に記載の電子カメラにおいて、撮像制御手段は、露出演算に基づいて算出される第４シャッター秒時と第１シャッター秒時との比に基づいて、第１シャッター秒時で撮像手段に撮像をさせる回数を決定することもできる。
【発明の効果】
【０００６】
本発明による電子カメラでは、ブレを抑えて適切に画像合成できる。
【図面の簡単な説明】
【０００７】
【図１】本発明の一実施の形態による電子カメラのブロック図である。
【図２】「合成」モード用の撮影処理の流れを説明するフローチャートである。
【図３】重ね合わせ処理を説明する図である。
【図４】分割秒時および分割数の決定方法を説明するフローチャートである。
【発明を実施するための形態】
【０００８】
以下、図面を参照して本発明を実施するための形態について説明する。図１は、本発明の一実施の形態による電子カメラのブロック図である。図１において、電子カメラ１は、絞り１１と、シャッタ１２と、撮影光学系１３と、防振光学系１３ｂと、撮像素子１４と、Ａ／Ｄ変換回路１５と、ＣＰＵ１６と、画像処理回路１７と、バッファメモリ１８と、絞り駆動回路１９と、シャッタ駆動回路２０と、ＬＣＤモニタ２１と、フラッシュメモリ２２と、メモリカードインターフェース(I/F)２３と、操作部材２４とを備える。
【０００９】
ＣＰＵ１６、Ａ／Ｄ変換回路１５、画像処理回路１７、バッファメモリ１８、ＬＣＤモニタ２１、フラッシュメモリ２２、およびメモリカードインターフェース(I/F)２３は、それぞれがバス２６を介して接続されている。
【００１０】
絞り駆動回路１９は、ＣＰＵ１６からの指示に応じて絞り１１の開口サイズを変化させる。絞り１１は、被写体からの光を多段階に減衰させる減光部材である。シャッタ駆動回路２０は、ＣＰＵ１６からの指示に応じてシャッタ１２の開閉制御を行う。
【００１１】
撮影光学系１３は、ズームレンズやフォーカシングレンズを含む複数のレンズ群で構成され、被写体像を撮像素子１４の受光面に結像させる。なお、図１を簡単にするため、撮影光学系１３を単レンズとして図示している。防振光学系１３ｂは、撮影光学系１３の光軸と垂直方向に進退移動する。不図示の光学系駆動機構がＣＰＵ１６からの指示に応じて防振光学系１３ｂを駆動制御することにより、電子カメラ１の振れに起因して生じる撮像素子１４上の被写体像の揺動が抑制される。
【００１２】
撮像素子１４は、受光面にフォトダイオードが二次元配列されたＣＣＤイメージセンサやＣＭＯＳイメージセンサなどによって構成される。受光面上には、フォトダイオードの位置に対応してＲ（赤）、Ｇ（緑）およびＢ（青）のカラーフィルタ（不図示）がベイヤー配列されている。このため、撮像素子１４から出力される画像信号は、１画素当たりＲＧＢのうちいずれか１つの色成分の情報を有する。すなわち、Ｒ色フィルタに対応する画素からはＲ色の信号が出力され、Ｇ色フィルタに対応する画素からはＧ色の信号が出力され、Ｂ色フィルタに対応する画素からはＢ色の信号が出力される。
【００１３】
Ａ／Ｄ変換回路１５は、撮像素子１４から出力された画像信号をディジタルデータに変換する。変換後のデータはバス２６を介してバッファメモリ１８へ送られる。画像処理回路１７は、バッファメモリ１８に格納されている画像データに対して所定の信号処理を行う。信号処理には、色補間処理や、輪郭強調、色温度調整（ホワイトバランス調整）などが含まれる。画像処理回路１７はさらに、後述する重ね合わせ処理も行う。
【００１４】
バッファメモリ１８は、画像処理回路１７による画像処理の前工程や後工程での画像データを一時的に記憶する。フラッシュメモリ２２は、ＣＰＵ１６に実行させるプログラムを記憶する。ＬＣＤモニタ２１は液晶パネルによって構成され、ＣＰＵ１６からの指示に応じて画像や操作メニュー画面などを表示する。
【００１５】
ＣＰＵ１６は、フラッシュメモリ２２が記憶するプログラムを実行することによって電子カメラ１が行う動作を制御する。ＣＰＵ１６は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１４によって所定の時間間隔（たとえば３０コマ／毎秒）で繰り返し取得されるモニタ用画像のことをいう。
【００１６】
メモリカードインターフェース２３はコネクタ（不図示）を有し、該コネクタにメモリカードなどの記録媒体５０が接続される。メモリカードインターフェース２３は、接続された記録媒体５０に対するデータの書き込みや、記録媒体５０からのデータの読み込みを行う。記録媒体５０は、半導体メモリを内蔵したメモリカード、またはハードディスクドライブなどで構成される。
【００１７】
操作部材２４は、不図時のレリーズボタン、ズームスイッチ、モードダイヤルなどを含む。操作部材２４は、レリーズ半押し操作や全押し操作、ズーム操作、モード切替操作など、各操作に応じた操作信号をＣＰＵ１６へ送出する。
【００１８】
振れセンサ２５は、たとえば加速度センサによって構成される。振れセンサ２５はピッチ方向およびヨー方向に生じた加速度を検出し、検出信号をＣＰＵ１６へ送出する。
【００１９】
（手ブレによる影響の抑制）
ＣＰＵ１６は、振れセンサ２５からの加速度検出信号に基づいて、電子カメラ１の揺動（いわゆる手ブレ）に起因して生じる撮像素子１４上における被写体像の揺れを抑制するために必要な防振光学系１３ｂの駆動量を演算し、その駆動量および駆動方向を示す防振光学系１３ｂの駆動情報を不図示の光学系駆動機構へ送信する。光学系駆動機構は、防振光学系１３ｂの駆動情報に基づいて防振光学系１３ｂを光軸と直交する方向に進退駆動する。
【００２０】
（フォーカス調節、ズーム調節）
また、光学系駆動機構は、ＣＰＵ１６から出力されるフォーカス調節信号に基づいて、撮影光学系１３を構成するフォーカスレンズ（不図示）を光軸方向に進退駆動する。さらにまた、光学系駆動機構は、ＣＰＵ１６から出力されるズーム調節信号に基づいて、撮影光学系１３を構成するズームレンズ（不図示）を光軸方向（テレ側もしくはワイド側）へ進退駆動する。
【００２１】
本実施形態の電子カメラ１は、複数の画像を合成した画像を記録する撮影モードを有する。画像合成を許可する「合成」モードに設定された電子カメラは、撮影時に複数の画像を取得して合成し、合成画像を記録する。複数の画像（レリーズボタンの全押し操作で取得される本画像）の取得は、所定のフレームレートで行う。一方、「合成」モードでない「通常」モードの場合には通常撮影と同様に１枚の画像を取得して記録する。「合成」モードまたは「通常」モードは、モード切替操作によって電子カメラ１に設定される。
【００２２】
本実施形態は、「合成」モードの場合に電子カメラ１が行う撮影処理に特徴を有するので、「合成」モード時の処理を中心に説明する。ＣＰＵ１６は、撮影モードが「合成」モードに設定されると、「合成」モード用の撮影処理を行うプログラムを起動する。図２は、「合成」モード用の撮影処理の流れを説明するフローチャートである。
【００２３】
＜撮影処理＞
図２のステップＳ１０１において、ＣＰＵ１６は、スルー画像を入力してステップＳ１０２へ進む。具体的には、バッファメモリ１８に新たに格納されたスルー画像データを読み出す。ＣＰＵ１６は、スルー画像データに基づいて被写体検出、たとえば顔検出処理を行うことにより、スルー画像内に含まれる人物の顔を検出する。顔検出処理は、公知の技術であるため説明を省略する。なお、スルー画像データのサイズは、ＬＣＤモニタ２１の表示解像度に合わせて決定されるため、後述する本画像データのサイズに比べて小さく抑えられている。
【００２４】
ＣＰＵ１６は、直近のスルー画像データから検出した顔の位置（スルー画像において顔に対応するデータの座標）と、前フレームのスルー画像データから検出した顔の位置とに基づいて被写体の動きを検出する。
【００２５】
ステップＳ１０２において、ＣＰＵ１６は、レリーズボタンが半押し操作されたか否かを判定する。半押し操作は、全押し操作時の略半分の押し下げ量で行われる押下げ操作である。ＣＰＵ１６は、操作部材２４から半押し操作信号が入力された場合にステップＳ１０２を肯定判定してステップＳ１０３へ進む。ＣＰＵ１６は、操作部材２４から半押し操作信号が入力されない場合にはステップＳ１０２を否定判定してステップＳ１０１へ戻る。ステップＳ１０１へ戻る場合は、スルー画像データの入力と、被写体の動き検出とを繰り返す。
【００２６】
ステップＳ１０３において、ＣＰＵ１６は、直近のスルー画像のデータに基づいてＡＥ（自動露出演算）およびＡＦ（自動焦点調節）処理を行う。ＣＰＵ１６は、スルー画像のデータに基づいて測光値を取得し、該測光値に基づいて自動露出演算を行うことにより、絞り値Ａ、シャッター秒時Ｔｐ、撮像感度（撮像信号に対する増幅利得）Ｓを決定する。
【００２７】
ＣＰＵ１６はさらに、スルー画像のコントラスト情報に基づいて、コントラストを高くするようにフォーカシングレンズ（不図示）の移動方向および移動量を演算する。ＣＰＵ１６は、演算した移動方向および移動量を示すフォーカス調節信号を光学系駆動機構（不図示）へ送出する。
【００２８】
ステップＳ１０４において、ＣＰＵ１６は、複数の画像を取得する際の分割秒時Ｔｆ、および分割数Ｎを決定してステップＳ１０６へ進む。決定処理の詳細については後述する。ステップＳ１０６において、ＣＰＵ１６は、レリーズボタンが全押し操作されたか否かを判定する。ＣＰＵ１６は、操作部材２４から全押し操作信号が入力された場合にステップＳ１０６を肯定判定してステップＳ１０７へ進む。ＣＰＵ１６は、操作部材２４から全押し操作信号が入力されない場合にはステップＳ１０６を否定判定して当該判定処理を繰り返す。
【００２９】
ステップＳ１０７において、ＣＰＵ１６は分割秒時Ｔｆで撮像素子１４に撮像を開始させてステップＳ１０８へ進む。これにより、セットされた撮像条件で撮像（本画像の取得動作）が開始される。なお、分割秒時Ｔｆを除く他の撮像条件は、ステップＳ１０３において決定した絞り値Ａ、撮像感度（撮像信号に対する増幅利得）Ｓがセットされる。ステップＳ１０８において、ＣＰＵ１６は、最新の画像データをバッファメモリ１８へ格納させてステップＳ１０９へ進む。この場合にバッファメモリ１８に格納するデータ形式は、たとえば、ＹＣｂＣｒデータとする。
【００３０】
ＹＣｂＣｒデータは、色補間処理後のＲＧＢデータに基づいて算出される。色補間処理は、画素位置において出力されない色成分データ（たとえば、Ｒ色の信号が出力される画素位置におけるＧ色およびＢ色のデータ）を、近傍のＧ色信号、近傍のＢ色信号を用いた補間演算によって算出することをいう。
【００３１】
ステップＳ１０９において、ＣＰＵ１６は分割数Ｎに達したか否かを判定する。ＣＰＵ１６は、全押し操作後に撮像した回数が分割数Ｎに達した場合にステップＳ１０９を肯定判定してステップＳ１１０へ進む。ＣＰＵ１６は、全押し操作後に撮像した回数が分割数Ｎに達していない場合にはステップＳ１０９を否定判定し、ステップＳ１０７へ戻る。ステップＳ１０７へ戻る場合は、分割数Ｎに達するまで分割秒時Ｔｆで撮像を繰り返す。これにより、画像１〜画像ＮまでのＮ枚の本画像が取得される。
【００３２】
ステップＳ１１０において、ＣＰＵ１６は、バッファメモリ１８に格納したＮ枚の本画像を用いて被写体の動きを解析する。先ず、本画像データに基づいて被写体検出、たとえば顔検出処理を行うことにより、本画像内に含まれる人物の顔を検出する。本画像における顔の位置は、半押し操作前に検出したスルー画像データにおける顔の位置とする。つまり、スルー画像データに基づいて検出した位置情報をフラッシュメモリ２２に残しておき、本画像データのうち、フラッシュメモリ２２に残されている位置情報に対応するデータに基づいて顔を検出する。
【００３３】
ＣＰＵ１６はさらに、画像１〜画像Ｎのうち、連続する２枚の本画像データからそれぞれ検出した顔の位置に基づいて、被写体の動き（前フレームに対して移動した方向、および移動量（画素数））を検出する。ＣＰＵ１６は、このように被写体の動きを解析するとステップＳ１１１へ進む。
【００３４】
ステップＳ１１２において、ＣＰＵ１６は画像処理回路１７へ指示を送り、Ｎ枚の本画像を重ね合わせ合成させる。画像処理回路１７は、検出した被写体の動きを抑えるように、各本画像の顔に対応するデータの位置を一致させて各画像を重ね、重ねたＮ枚の本画像間で共通する画素データをそれぞれ加算することによって１枚の本画像（合成画像）を得る。
【００３５】
図３は、重ね合わせ処理を説明する図である。１枚目の本画像、２枚目の本画像、…Ｎ枚目の本画像の被写体（本例では顔）を重ねて、Ｎ枚の画像に共通に含まれる画素データを加算する。重ね合わせるデータ形式は、バッファメモリ１８に格納されているＹＣｂＣｒデータとする。
【００３６】
ＣＰＵ１６は、以上のような重ね合わせ処理の後に、図３の合成画像データに対する階調変換処理、輪郭強調処理、ホワイトバランス調整処理を画像処理回路１７に行わせてステップＳ１１２へ進む。ステップＳ１１２において、ＣＰＵ１６は、画像処理後のデータに対する所定の圧縮処理を行わせてステップＳ１１３へ進む。ステップＳ１１３において、ＣＰＵ１６はメモリカードインターフェース２３へ指示を送り、処理後の合成画像データを記録媒体５０へ記録する処理を行わせて図２による処理を終了する。なお、ＣＰＵ１６は、合成画像データに基づく再生画像をＬＣＤモニタ２１に所定時間表示させる。
【００３７】
＜分割秒時および分割数の決定処理＞
分割秒時Ｔｆおよび分割数Ｎの決定方法について、図４のフローチャートを参照して説明する。図４のステップＳ２０１において、ＣＰＵ１６は、撮影光学系１３の焦点距離情報に応じて、手ブレ限界秒時ＴＬ１を算出してステップＳ２０２へ進む。焦点距離情報は、ズーム調節時に光学系駆動機構（不図示）へ送出したズーム調節値をフラッシュメモリ２２に残しておき、この情報を参照する。手ブレ限界秒時ＴＬ１は、たとえば、１／ｆ(秒)とする。ｆは３５mm判カメラの場合に換算した焦点距離(mm)である。
【００３８】
ステップＳ２０２において、ＣＰＵ１６は、フレーム間の動き情報に応じて像ブレ限界秒時ＴＬ２を算出してステップＳ２０３へ進む。たとえば、ステップＳ１０１およびステップＳ１０２を繰り返し中に取得したスルー画像のフレーム間（本例では３０コマ／毎秒）で、顔の位置（スルー画像において顔に対応するデータの座標）が許容画素数ｃのｄ倍（ｃ×ｄ画素分）ずれている場合、像ブレ限界秒時ＴＬ２＝１／３０×１／ｄ＝１／(３０ｄ)（秒）とする。許容画素数ｃは、必要とする画質に応じて適宜決定すればよい。
【００３９】
ステップＳ２０３において、ＣＰＵ１６は、ＴＬ１およびＴＬ２のうち短い方を分割秒時ＴｆとしてステップＳ２０４へ進む。ステップＳ２０４において、ＣＰＵ１６は、分割数Ｎ＝Ｔｐ／Ｔｆを算出して図４による処理を終了する。Ｔｐは  ステップＳ１０３において決定したシャッター秒時である。
【００４０】
以上説明した実施形態によれば、次の作用効果が得られる。
（１）１撮影指示（全押し操作信号入力）に応じて、被写体像のブレを所定範囲内にするシャッター秒時（分割秒時Ｔｆ）で、複数の画像をそれぞれ取得するようにした。いわゆるブラケット撮影の場合と異なり、ユーザーは１コマ撮影と同様の感覚で撮影操作を行うことができる。
【００４１】
（２）複数の画像を重ね合わせ合成する際、各画像から検出した画像パターン（本例では人物の顔）の動きを抑えるように、各画像の顔に対応するデータの位置を基準に各画像を重ね、重ねた画像間で共通する画素データをそれぞれ加算することによって１枚の合成画像を得るようにした。これにより、たとえば、画像の四隅などを基準に各画像を重ね合わせる場合に比べて、重ね合わせ合成後の顔の輪郭のぼけを抑えることができる。とくに、撮影画面内で主要被写体が移動している場合に有効である。
【００４２】
（３）分割秒時Ｔｆは、撮影光学系１３の焦点距離情報に応じて算出する手ブレ限界秒時ＴＬ１、およびスルー画像のフレーム間の顔に対応するデータ座標のずれに基づいて算出する像ブレ限界秒時ＴＬ２のうち短い方とした。これにより、電子カメラ１の揺動に起因するブレも、被写体人物の動きに起因するブレも、所定範囲内に抑えられる。
【００４３】
（４）撮影指示前（ステップＳ１０１およびステップＳ１０２を繰り返し中）に取得したスルー画像のフレーム間の顔に対応するデータ座標のずれに基づいて像ブレ限界秒時ＴＬ２を算出した。像ブレ限界秒時ＴＬ２を算出するために専用の画像を取得しなくてよいので、電子カメラ１の負担を軽減できる。
【００４４】
（５）複数の画像を取得する際の分割秒時Ｔｆ以外の他の撮像条件は、ステップＳ１０３において決定した絞り値Ａおよび撮像感度Ｓとしたので、本画像１枚当たりの露出はアンダーになるものの、重ね合わせ合成後も高輝度部分が白く飛ばないように制御できる。
【００４５】
（変形例１）
上記（５）の代わりに、ステップＳ１０３において決定した絞り値Ａより絞り１１を開放側に、またはステップＳ１０３において決定した撮像感度（撮像信号に対する増幅利得）Ｓより高い感度をセットするようにしてもよい。この場合には、本画像１枚当たりの露出が増え、重ね合わせ合成後に低輝度部分のＳ／Ｎ比が向上するように制御できる。
【００４６】
（変形例２）
上記実施形態では、電子カメラ１の振れを検出し、振れ検出値に応じて防振光学系１３ｂを駆動する例を説明した。本発明は、このような防振機構をオフさせている場合、あるいは防振機構を備えていない場合にも有効である。
【００４７】
（変形例３）
焦点距離情報に応じて算出する手ブレ限界秒時ＴＬ１は、防振機構のオン時とオフ時との間で異ならせてもよい。たとえば、防振機構オン時には、防振機構オフ時に比べて手ブレ限界秒時ＴＬ１を２段階低速側にする。
【００４８】
（変形例４）
ステップＳ１０１およびステップＳ１０２を繰り返し中に取得したスルー画像のフレーム間の顔に対応するデータ座標のずれに基づいて像ブレ限界秒時ＴＬ２を算出する代わりに、ステップＳ１０３において行うＡＦ処理において取得されるコントラスト検出用のスルー画像のフレーム間の顔に対応するデータ座標のずれに基づいて像ブレ限界秒時ＴＬ２を算出してもよい。この場合にも、像ブレ限界秒時ＴＬ２を算出するために専用の画像を取得しなくてよいので、電子カメラ１の負担を軽減できる。
【００４９】
（変形例５）
分割秒時Ｔｆがシャッター１２の高速側の限界秒時より短い場合は、所定の報知信号を発した上で該限界秒時を分割秒時Ｔｆとしてもよい。あるいは、「合成」モードから「通常」モードへ切り替えて通常撮影を行うようにしてもよい。通常撮影は、操作部材２４から全押し操作信号が入力された場合に、ステップＳ１０３において決定されている絞り値Ａ、シャッター秒時Ｔｐ、撮像感度（撮像信号に対する増幅利得）Ｓをセットして１枚の本画像を取得する。
【００５０】
ＣＰＵ１６は、取得した本画像データに色補間処理を行った後に、階調変換処理、輪郭強調処理、ホワイトバランス調整処理を行わせる。そして、画像処理後のデータに対する所定の圧縮処理を行った後で当該画像データを記録媒体５０へ記録させる。取得した画像データに基づく再生画像をＬＣＤモニタ２１に所定時間表示させる点は、「合成」モードの場合と同様である。
【００５１】
（変形例６）
フレーム間の被写体の動きが所定値より大きい場合にも、「合成」モードから「通常」モードへ切り替えて通常撮影を行うようにしてもよい。たとえば、ステップＳ２０２において、「ｄ」が所定値より大きいことが判明した場合には通常撮影を行うようにする。「ｄ」が大きい場合は分割数Ｎが大きくなる可能性が高い。分割数Ｎを無制限に許容すると、必要なバッファメモリ１８の容量も増大になる。「合成」モードから「通常」モードへ切り替えることで、大きな分割数Ｎでの撮像を行わないように制限できるので、電子カメラ１の負担を軽減できる。
【００５２】
（変形例７）
分割数Ｎが所定の分割数より大きい場合にも、「合成」モードから「通常」モードへ切り替えて通常撮影を行うようにしてもよい。上記（６）と同様に、電子カメラ１の負担を軽減できる。
【００５３】
（変形例８）
ステップＳ１０８においてバッファメモリ１８に格納するデータ形式をＹＣｂＣｒデータとしたが、このデータ形式はＲＡＷデータでもＲＧＢデータでもよい。たとえば、バッファメモリ１８の容量や、他の処理との関連性を考慮して扱いやすいデータ形式で格納するとよい。
【００５４】
（変形例９）
主要被写体として画像から人物の「顔」を検出する例に説明したが、顔以外の画像パターンを検出してもよい。この場合には、各画像の画像パターンに対応するデータの位置を基準に各画像を重ね、重ねた画像間で共通する画素データをそれぞれ加算することによって１枚の合成画像を得るようにする。
【００５５】
（変形例１０）
電子カメラ１は、一眼レフタイプの電子カメラでも、一眼レフタイプでない電子カメラであってもよい。
【００５６】
以上の説明はあくまで一例であり、上記の実施形態の構成に何ら限定されるものではない。
【符号の説明】
【００５７】
１…電子カメラ
１２…シャッタ
１３…撮影光学系
１４…撮像素子
１５…Ａ／Ｄ変換回路
１６…ＣＰＵ
１７…画像処理回路
１８…バッファメモリ
２１…ＬＣＤモニタ
２２…フラッシュメモリ
２４…操作部材
【図１】
2010171769.tif 000003
【図２】
2010171769.tif 000004
【図３】
2010171769.tif 000005
【図４】
2010171769.tif 000006